(57)【要約】【課題】本発明は、伝送路インタフェース装置に関し、ループバック信号が与えられないことを高速に確度高く識別できることを目的とする。【解決手段】伝送情報を保持し、その伝送情報に併せてプリアンブルで変調されたフレームを生成すると共に、ＣＳＭＡ方式に適応した伝送路に対してこのフレームの送信を行う送信手段と、前記送信手段または前記送信手段以外の送信端が送信を行ったフレームに応じて前記伝送路を介して対向するノードによって送信が行われたループバックフレームをその伝送路から取り込み、このループバックフレームに含まれる伝送情報を復元して保持する受信手段と、前記送信手段によって前記フレームの送信中に、その送信が完了する前に前記受信手段によってループバックフレームが受信されたときに、その旨の通知を前記伝送情報の情報源に対して行う衝突判定促進手段を備えて構成される。【選択図】      図１
2006262505.tif 000002
【特許請求の範囲】
【請求項１】
伝送情報を保持し、その伝送情報に併せてプリアンブルで変調されたフレームを生成すると共に、ＣＳＭＡ方式に適応した伝送路に対してこのフレームの送信を行う送信手段と、
前記送信手段または前記送信手段以外の送信端が送信を行ったフレームに応じて前記伝送路を介して対向するノードによって送信が行われたループバックフレームをその伝送路から取り込み、このループバックフレームに含まれる伝送情報を復元して保持する受信手段と、
前記送信手段によって前記フレームの送信中に、その送信が完了する前に前記受信手段によってループバックフレームが受信されたときに、その旨の通知を前記伝送情報の情報源に対して行う衝突判定促進手段を備えた
ことを特徴とする伝送路インタフェース装置。
【発明の詳細な説明】
【技術分野】
【０００１】
本発明は、送信されるべき伝送情報を与える情報端末とＣＳＭＡ方式あるいはＣＳＭＡ／ＣＤ方式に適応した伝送路とのインタフェースをとり、その伝送路の伝送方式と伝送情報との整合をとる伝送路インタフェース装置に関する。
【背景技術】
【０００２】
ＣＳＭＡ／ＣＤ(Carrier Sense Multiple Access with Collision Detection)方式は、伝送路に対するアクセスが個々のノードに分散された通信制御の下で行われることによってハードウエアの構成の簡略化と標準化とが柔軟にはかられ、かつ何れかのノードに発生した障害が他のノードに波及する可能性が小さいために、バス状のＬＡＮに多く適用されている。
【０００３】
また、近年、伝送誤りの防止や訂正を実現する技術に併せて、これらの技術に適応したディジタル変復調技術が確立したために、電波だけではなく、赤外線等が搬送波として適用された無線ＬＡＮが実用化され、かつＯＡ化の核として普及しつつある。
図７は、従来の無線ＬＡＮの構成例を示す図である。
図において、親局１３０はＬＡＮ１３１を介してパーソナルコンピュータ（ＰＣ）１３２の通信ポートに接続され、複数の子局１３３-1〜１３３-NはそれぞれＬＡＮ１３４-1〜１３４-Nを介してパーソナルコンピュータ１３５-1〜１３５-Nの通信ポートに接続される。これらの子局１３３-1〜１３３-Nと親局１３０とは、全二重方式の無線伝送路１３６を介して対向する。
【０００４】
また、子局１３３-1は、無線伝送路１３６に空中線系を介してリンクする復調部１３７-1および変調部１３８-1と、その復調部１３７-1の出力に一方の入力が接続された照合処理部１３９-1と、この照合処理部１３９-1の一方の入力と共に復調器１３８-1の出力に一方の入力が接続され、かつ他方の入力にその照合処理部１３９-1の出力が接続されたＦＩＦＯ１４０-1と、ＬＡＮ１３４-1に接続され、かつそのＦＩＦＯ１４０-1の出力と変調部１３８-1の入力および照合処理部１３９-1の他方の入力との間に配置されたインタフェース部（ＩＦ）１４１-1とから構成される。
【０００５】
なお、子局１３３-2〜１３３-Nの構成については、子局１３３-1の構成と同じであるから、以下では、対応する構成要素に添え番号として「２」〜「Ｎ」がそれぞれ付加された同じ符号を付与することとし、ここではその説明および図示を省略する。
このような構成の従来例では、パーソナルコンピュータ１３５-1は、例えば、パーソナルコンピュータ１３５-2〜１３５-Nの何れか（ここでは、簡単のため、パーソナルコンピュータ１３５-2であると仮定する。）宛に何らかの伝送情報を送出する場合には、ＬＡＮ１３４-1およびインタフェース部１４１-1を介して変調部１３８-1に、その伝送情報に併せて、宛先を示す識別情報を与えると共に、これらの伝送情報および識別情報を主記憶の特定の領域に保持し、かつ予め決められたインターバルＴのタイマを起動する。
【０００６】
変調部１３８-1は、このようにして与えられた伝送情報および識別情報を所定の型式（例えば、語長が６４バイトである。）のパケットに変換し、そのパケットの先頭に特定のビットパターンからなるプリアンブルを付加することによってベースバンド信号を生成する。
さらに、変調部１３８-1は、そのベースバンド信号に応じて所定の搬送波信号を変調することによって無線パケットを生成し、その無線パケットを無線伝送路１３６の上りのリンクに送出する。
【０００７】
なお、以下では、この無線パケットの先頭部に配置され、かつ上述したプリアンブルを示す部分を「無線プリアンブル」という。
一方、親局１３０は、無線伝送路１３６を介して受信された無線パケットを復調することによって上述したベースバンド信号を復元し、そのベースバンド信号の先頭部に含まれるプリアンブルに応じて内蔵されたアナログの回路の動作点を線形な領域に引き込み、かつビット同期をとる。
【０００８】
さらに、親局１３０は、そのビット同期の下で所定のフレーム構成に適応したフレーム同期をとることによって、上述したベースバンド信号に含まれる伝送情報および識別情報を復元し、かつ子局１３３-1において変調部１３８-1が行った処理と同様の処理を行うことによってこれらの伝送情報および識別情報を含むと共に、上述した無線パケットと型式が同じであるループバック信号を生成して無線伝送路１３６の下りのリンクに送出する。
【０００９】
また、親局１３０は、自局に予め割り付けられたユニークな識別情報と既述の通りに復元された識別情報とを比較し、両者が一致した場合には、ＬＡＮ１３１を介してパーソナルコンピュータ１３２にその識別情報と共に復元された伝送情報を与えるが、反対に一致しない場合には、これらの伝送情報および識別情報に併せて、上述したプリアンブルを含み、かつ上述したループバック信号と型式が同じである無線パケット（以下、「中継パケット」という。）を生成して無線伝送路１３６の下りのリンクに送出する。
【００１０】
なお、パーソナルコンピュータ１３２は、ＬＡＮ１３１を介して親局１３０から与えられた伝送情報に何らかの処理を施すが、このような処理については、本願発明に関係がないので、ここではその説明を省略する。
子局１３３-1では、照合処理部１３９-1は、ＬＡＮ１３４-1およびインタフェース部１４１-1を介して変調部１３８-1に既述の伝送情報および識別情報が与えられた時点でＦＩＦＯ１４０-1の読み出しを規制し（以下、このような状態を「ループバック待ち受け状態」という）、これらの伝送情報および識別情報（以下、両者を併せて「照合基準情報」という。）を一次的に蓄積する。
【００１１】
また、復調部１３７は、無線伝送路１３６の下りのリンクを介して与えられるループバック信号を復調してベースバンド信号を生成し、そのベースバンド信号を既述のフレーム構成に基づいて解析することによって、このループバック信号に含まれる伝送情報および識別情報を復元する。
ＦＩＦＯ１４０-1はこのようにして復元された伝送情報および識別情報を順次蓄積し、かつ照合処理部１３９はこれらの伝送情報および識別情報と上述した照合基準情報との比較を行う。
【００１２】
さらに、照合処理部１３９は、その比較の結果が真である場合には、ＦＩＦＯ１４０-1に対して上述したように蓄積された伝送情報および識別情報の読み出しを指示するが、反対にこの比較の結果が偽である場合には、ＦＩＦＯ１４０-1に蓄積された伝送情報および識別情報に併せて、照合基準情報を廃棄し、かつそのＦＩＦＯ１４０に対して行われていた読み出しの規制を解除する。
【００１３】
インタフェース部１４１-1は、上述したＦＩＦＯ１４０-1から読み出された伝送情報および識別情報をＬＡＮ１３４-1を介してパーソナルコンピュータ１３５-1宛に送出する。
パーソナルコンピュータ１３５-1は、ＬＡＮ１３４-1を介してこれらの伝送情報および識別情報が与えられると、その時点で既述のタイマの計時が完了していない場合には、主記憶の特定の領域に先行して保持された伝送情報および識別情報との照合を行い、両者が一致した場合にはこのタイマの計時を制止すると共に、これらの伝送情報および識別情報の双方を廃棄する。なお、このような照合の下で両者が一致しなかった場合にパーソナルコンピュータ１３５-1が行う処理については、後述する。
【００１４】
また、子局１３３-1〜１３３-Nの内、上述したループバック待ち受け状態ではない単一または複数の子局（以下では、簡単のため、符号「１３３-K」を付して示す。）では、復調部１３７-Kは、無線伝送路１３６の下りのリンクを介して与えられる既述の中継パケットを復調してベースバンド信号を生成し、そのベースバンド信号を同様のフレーム構成に基づいて解析することによって、この中継パケットに含まれる伝送情報および識別情報を復元する。
【００１５】
ＦＩＦＯ１４０-Kはこのようにして復元された伝送情報および識別情報を順次蓄積し、かつ照合処理部１３９-Kはその識別情報と予め自局に割り付けられたユニークな識別情報との比較を行う。
さらに、照合処理部１３９は、その比較の結果が偽である場合には、ＦＩＦＯ１４０-1に上述したように蓄積された伝送情報および識別情報を廃棄するが、反対にこの比較の結果が真である場合には、これらの伝送情報および識別情報の読み出しをそのＦＩＦＯ１４０-1に許可する。
【００１６】
インタフェース部１４１-1は、このようにしてＦＩＦＯ１４０-1から読み出された伝送情報および識別情報をＬＡＮ１３４-1を介してパーソナルコンピュータ１３５-1宛に送出する。
なお、パーソナルコンピュータ１３５-1は、ＬＡＮ１３４-1を介して何らかの伝送情報および識別情報が与えられると、その時点において既述のタイマの計時が完了していない場合には、主記憶の特定の領域に先行して保持された伝送情報および識別情報との照合を行い、その照合の下で両者が一致しない場合には、所定の手順に基づく通信制御を行う。
【００１７】
また、パーソナルコンピュータ１３５-1は、上述したタイマの計時が完了し、あるいはそのタイマが何ら起動されていない場合には、ＬＡＮ１３４-1を介して与えられた伝送情報および識別情報に所定の処理を施す。
なお、このような処理および上述した通信制御については、本願発明に関係がないので、ここではその説明を省略する。
【００１８】
ところで、子局１３３-1〜１３３-Nは、無線伝送路１３６の上りのリンクを共用し、かつパーソナルコンピュータ１３５-1〜１３５-Nから与えられる伝送情報および識別情報をその上りのリンクに非同期に送信する。
すなわち、子局１３３-1が何らかの無線パケットを送信している期間に子局１３３-2は遅れて並行して他の無線パケットを送信し得るが、このような場合には、親局１３０は、図８(a) に示すように、先行して送信が開始された無線パケットの内、無線プリアンブルＰＡが完全に受信されなくても、既述の通りにその無線プリアンブルＰＡに基づいて、
(1) 内蔵されたアナログの回路の動作点を線形な領域に引き込み、
(2) ビット同期をとること
ができる限り、ループバック信号を送出することができる。
【００１９】
しかし、子局１３３-1によって送信された第一の無線パケットに含まれる無線プリアンブルＰＡの内、大半が子局１３３-2によって送信された第二の無線パケットと時間軸上で重なる場合には、親局１３０は、上述した(1)、(2)の処理を正常に行うことができないために、図８(b) に点線と破線とで示すように、これらの双方の無線パケットあるいは第一の無線パケットに対応したループバック信号を送出することはできない。
【００２０】
一方、パーソナルコンピュータ１３５-1、１３５-2は、それぞれＬＡＮ１３４-1、１３４-2を介して子局１３３-1、１３３-2に、上述した第一の無線パケットおよび第二の無線パケットとして送出されるべき伝送情報および識別情報を与えたときには、既述の通りにインターバルＴのタイマーを起動する。
さらに、パーソナルコンピュータ１３５-1、１３５-2は、それぞれこれらのタイマの計時が完了したことを認識すると、ＬＡＮ１３４-1、１３４-2を介して子局１３３-1、１３３-2宛に、先行して主記憶の特定の記憶領域に保持された伝送情報および識別情報を再送する。
【００２１】
したがって、パーソナルコンピュータ１３５-1〜１３５-Nは、親局１３０がＣＳＭＡ／ＣＤ方式に基づいて行う再生中継の下で無線伝送路１３６を共用しつつ、その親局１３０に接続されたパーソナルコンピュータ１３２を含む所望のパーソナルコンピュータと相互に伝送情報を送受することができる。
【発明の開示】
【発明が解決しようとする課題】
【００２２】
ところで、上述した従来例では、子局１３３-1〜１３３-Nの内、複数の子局によって無線伝送路１３６の上りのリンクに並行して無線パケットが送出された場合には、親局１３０がこれらの無線パケットの一部または全ての無線パケットに含まれる無線プリアンブルを正常に受信できないために、図８(b) に示すように、該当する無線パケットに対応したループバック信号は無線伝送路１３６の下りのリンクに対して何ら送出されない。
【００２３】
しかし、このような場合には、パーソナルコンピュータ１３５-1〜１３５-Nの内、ループバック信号の確認をするために待機しているパーソナルコンピュータは、既述のインターバルＴに亘って後続する識別情報や伝送情報の送出を見合わせなければならず、そのインターバルＴは、一般に、親局１３０において行われるべき既述の処理の所要時間と、無線伝送路１３６の上りおよび下りのリンクにおける伝搬所要時間との和以上であり、かつ無線パケットの最大の長さ以上の値となるために、伝送効率が低下する可能性が高かった。
【００２４】
また、このような伝送効率については、無線伝送路１３６の上りのリンクに並行して送信しようとする子局の数が多いほど顕著に低下するために、高く維持できる技術が要望されていた。
本発明は、ループバック信号が与えられないことを高速に確度高く識別できる伝送路インタフェース装置を提供することを目的とする。
【課題を解決するための手段】
【００２５】
請求項１に記載の発明では、送信手段は、伝送情報を保持し、その伝送情報に併せてプリアンブルで変調されたフレームを生成すると共に、ＣＳＭＡ方式に適応した伝送路に対してこのフレームの送信を行う。受信手段は、前記送信手段または前記送信手段以外の送信端が送信を行ったフレームに応じて前記伝送路を介して対向するノードによって送信が行われたループバックフレームをその伝送路から取り込み、このループバックフレームに含まれる伝送情報を復元して保持する。衝突判定促進手段は、前記送信手段によって前記フレームの送信中に、その送信が完了する前に前記受信手段によってループバックフレームが受信されたときに、その旨の通知を前記伝送情報の情報源に対して行う。
【００２６】
図１は、本発明に関連した技術の原理ブロック図である。
本発明に関連した第一の技術では、直列のビット列として与えられる伝送情報を保持し、その伝送情報に併せてプリアンブルで変調されたフレームを生成すると共に、ＣＳＭＡ方式に適応した伝送路に対してこのフレームの送信を行う送信手段１１と、送信手段１１が送信を行ったフレームに応じて伝送路を介して対向するノードによって送信が行われたループバックフレームをその伝送路から取り込み、このループバックフレームに含まれる伝送情報を復元して保持する受信手段１２と、送信手段１１と受信手段１２とによって個別に保持された伝送情報の相関をとり、この相関の結果をその送信手段１１によって生成されたフレームに含まれる伝送情報の情報源に通知する衝突判定手段１３とを備えた伝送路インタフェース装置において、情報源が送信手段１１に伝送情報を与えた時点から、ループバックフレームに含まれる伝送情報が受信手段１２によって復元される時点に先行して経過した時間と、後続する伝送情報で変調されたフレームの送信について遅延が許容されるべき最大の時間を示す閾値とを比較し、前者が後者を超えたときに、その旨の通知をこの情報源に対して行う衝突判定促進手段１４を備えたことを特徴とする。
【００２７】
本発明に関連した第二の技術では、上述した第一の技術が適用された伝送路インタフェース装置において、伝送路には、全二重方式が適用され、閾値は、送信手段１１によって伝送路に送信されるフレームの幅の最大値以下に設定されたことを特徴とする。
本発明に関連した第三の技術では、上述した第一の技術が適用された伝送インタフェース装置において、閾値は、送信手段１１、受信手段１２およびノードの応答時間と伝送路の往路および復路の伝送遅延時間との和の最大値以上の値に設定されたことを特徴とする。
【００２８】
本発明に関連した第四の技術では、上述した第一または第三の発明が適用された伝送路インタフェース装置において、情報源が送信手段１１に伝送情報を与えた時点を起点とし、かつ受信手段１２がループバックフレームに含まれる伝送情報を復元する時点に至る期間の長さを実測する遅延時間実測手段２１と、遅延時間実測手段２１によって実測された期間の長さ以上の値に閾値を設定する閾値設定手段２２とを備えたことを特徴とする。
【００２９】
本発明に関連した第五の技術では、上述した第四の技術が適用された伝送路インタフェース装置において、送信手段１１は、ＩＣＭＰに適応した返答要求を伝送路にフレームとして送信し、遅延時間実測手段２１は、送信手段１１によって送信された返答要求を示す伝送情報が情報源から与えられた時点を起点とし、この返答要求に対する返答を示すループバックフレームに含まれる伝送情報が受信手段１２によって復元される時点に至る期間の長さを実測することを特徴とする。
【００３０】
本発明に関連した第六の技術では、上述した第一ないし第五の技術の何れかが適用された伝送路インタフェース装置において、送信手段１１、受信手段１２および衝突判定手段１３と情報源との間には、ＤＴＥ／ＤＣＥインタフェース方式が適用され、衝突判定促進手段１４は、ＤＴＥ／ＤＣＥインタフェース方式に基づいて情報源に対して通知を行うことを特徴とする。
【００３１】
本発明に関連した第七の技術では、上述した第一ないし第六の技術の何れかが適用された伝送路インタフェース装置において、衝突判定促進手段１４は、情報源にジャム信号を送出することによって、その情報源に対する通知を行うことを特徴とする。
本発明に関連した第八の技術では、上述した第一ないし第七の技術の何れかが適用された伝送インタフェース装置において、情報源が送信手段１１に伝送情報を与えた時点からループバックフレームに含まれる伝送情報が受信手段１２によって復元される時点に至る期間に、後続する伝送情報を与えることの見合わせをその情報源に要求する送信制御手段３１を備えたことを特徴とする。
【００３２】
本発明に関連した第九の技術では、上述した第二の技術が適用された伝送路インタフェース装置において、情報源は、単信方式に基づいて送信手段１１に伝送情報を与え、情報源によって何らかの伝送情報が与えられている期間に、この情報源にその伝送情報を返送する送信制御手段３１ａを備えたことを特徴とする。
本発明に関連した第十の技術では、上述した第一ないし第九の技術の何れかが適用された伝送路インタフェース装置において、伝送路を介して対向する全ての伝送路インタフェース装置について、個別に割り付けられたその伝送路の下りのリンクの識別子が予め格納された記憶手段４１と、予め割り付けられた下りのリンクを介してフレームが与えられたときに、記憶手段４１に格納された識別子の内、そのフレームに含まれる識別情報に対応した識別子を取得し、その識別子で示される下りのリンクに相当する上りのリンクにループバックフレームを送信するループバック手段４２とを備え、送信手段１１は、伝送路の下りのリンクの内、情報源によって与えられた伝送情報に含まれるその伝送情報の宛先に対応して記憶手段４１に格納された識別子を取得し、その識別子で示される下りのリンクに相当する上りのリンクに、生成されたフレームを送信する
第一の技術が適用された伝送路インタフェース装置では、送信手段１１は、直列のビット列として与えられる伝送情報を保持し、その伝送情報に併せてプリアンブルで変調されたフレームを生成すると共に、ＣＳＭＡ方式に適応した伝送路に対してこのフレームの送信を行う。また、受信手段１２は、上述したように送信手段１１によって送信が行われたフレームに応じて伝送路を介して対向するノードによって送信が行われたループバックフレームを取り込み、このループバックフレームに含まれる伝送情報を復元して保持する。
【００３３】
さらに、衝突判定手段１３は、このようにして送信手段１１と受信手段１２とによって個別に保持された伝送情報の相関をとり、この相関の結果を上述した伝送情報の情報源に通知する。したがって、この情報源は、複数の伝送路インタフェース装置が既述のＣＡＭＡの下で伝送路で衝突が発生したか否かを判別し、その判別の結果に適応した通信制御を行うことができる。
【００３４】
ところで、上述したプリアンブルと他の伝送路インタフェース装置によって並行して送信されたフレームとが伝送路上で衝突した場合には、既述のノードは、そのプリアンブルを含むフレームを正常に受信できないために、ループバックフレームの送信を行うことができない。
しかし、衝突判定促進手段１４は、情報源が送信手段１１に伝送情報を与えた時点から、上述したループバックフレームに含まれる伝送情報が受信手段１２によって復元される時点に先行して経過した時間と、その情報源によって後続して与えられる伝送情報で変調されたフレームの送信について遅延が許容される最大の時間を示す閾値とを比較し、前者が後者を超えたときに、その旨の通知をこの情報源に対して行う。
【００３５】
すなわち、ループバックフレームが与えられない場合であっても、上述した伝送情報の情報源は、上述した閾値の値が小さいほど、再送等の処理が行われるべき状態を高速に確度高く識別することができる。
第二の技術が適用された伝送路インタフェース装置では、上述した第一の技術が適用された伝送路インタフェース装置において、伝送路には全二重方式が適用され、かつ閾値は送信手段１１によって伝送路に送信されるフレームの幅の最大値以下に設定される。
【００３６】
すなわち、情報源によって伝送情報が与えられていることが識別される限り、送信手段１１、受信手段１２および伝送路を介して対向するノードの応答時間に併せて、その伝送路の往路および復路の伝送遅延時間の和が上述したフレームの幅以下である場合には、その情報源が送信手段１１に伝送情報を与えた時点から、ループバックフレームに含まれる伝送情報が受信手段１２によって復元される時点に先行して経過した時間の計時が行われなくても、第一の技術と同様にして、再送等の処理が行われるべき状態が高速に確度高く識別される。
【００３７】
第三の技術が適用された伝送路インタフェース装置では、上述した第一の技術が適用された伝送路インタフェース装置において、送信手段１１、受信手段１２およびノードの応答時間と伝送路の往路および復路の伝送遅延時間との和の最大値以上の値に閾値が設定される。
したがって、伝送路に送信されるべきフレームの幅に比べてその和の最大値が大きく、あるいは本願発明にかかわる伝送路インタフェース装置やこの伝送路を介して対向するノードのレイアウトが変更され得る場合であっても、第一の技術と同様にして、再送等の処理が行われるべき状態が高速に確度高く識別される。
【００３８】
第四の技術が適用された伝送路インタフェース装置では、上述した第一または第三の技術が適用された伝送インタフェース装置において、遅延時間実測手段２１は、情報源が送信手段１１に伝送情報を与えた時点を起点とし、かつ受信手段１２がループバックフレームに含まれる伝送情報を復元する時点に至る期間の長さを実測する。閾値設定手段２２は、このようにして実測された期間の長さ以上の値に閾値を設定する。
【００３９】
すなわち、本願発明にかかわる伝送路インタフェース装置やこの伝送路を介して対向するノードのレイアウトが変更され得る場合であっても、上述した閾値が予め所望の値に設定される第一の技術に比べて、無用に長い時間を要することなく再送等の処理が行われるべき状態が確度高く識別される。
第五の技術が適用された伝送路インタフェース装置では、上述した第四の技術が適用された伝送路インタフェース装置において、送信手段１１は、ＩＣＭＰに適応した返答要求を伝送路にフレームとして送信する。また、遅延時間実測手段２１は、このようにして送信された返答要求を示す伝送情報が情報源から与えられた時点を起点とし、この返答要求に対する返答を示すループバックフレームに含まれる伝送情報が受信手段１２によって復元される時点に至る期間の長さを実測する。
【００４０】
すなわち、ＩＰの上位プロトコルであるＩＣＭＰに適応したＰＩＮＧが送信手段１１に搭載され、かつ伝送路を介して対向するノードがそのＩＣＭＰに適応する限り、上述した返答要求に相当する特定のフレームの送信に併せて、この特定のフレームに適応した返答を示すフレームの受信を実現する特異な処理が行われたり、無用に長い時間を要することなく、再送等の処理が行われるべき状態が確度高く識別される。
【００４１】
第六の技術が適用された伝送路インタフェース装置では、上述した第一ないし第五の技術の何れかが適用された伝送インタフェース装置において、送信手段１１、受信手段１２および衝突判定手段１３と情報源との間にはＤＴＥ／ＤＣＥインタフェース方式が適用され、かつ衝突判定促進手段１４はそのＤＴＥ／ＤＣＥインタフェース方式に基づいて情報源に対して通知を行う。
【００４２】
すなわち、情報源に対して「再送等の処理が行われるべき状態」を示す通知がその通知に供されるべき特別なハードウエアを介することなく、標準的なＤＴＥ／ＤＣＥインタフェース方式の下で行われるので、この情報源として多様な情報端末や情報機器の適用が可能となる。
第七の技術が適用された伝送路インタフェース装置では、上述した第一ないし第六の技術の何れかが適用された伝送路インタフェース装置において、衝突判定促進手段１４は、情報源にジャム信号を送出することによって、その情報源に対して通知を行う。
【００４３】
このようなジャム信号は、ＣＳＭＡ方式に適応した伝送系では、衝突の発生を意味し、かつ特定の型式および内容の伝送情報として定義されるので、送信手段１１、受信手段１２および衝突判定手段１３と情報源との間に適用されたインタフェース方式の如何にかかわらず、この情報源に対して「再送等の処理が行われるべき状態」の通知が行われる。
第八の技術が適用された伝送路インタフェース装置では、上述した第一ないし第七の技術の何れかが適用された伝送路インタフェース装置において、送信制御手段３１は、情報源が送信手段１１に伝送情報を与えた時点からループバックフレームに含まれる伝送情報が受信手段１２によって復元される時点に至る期間に、後続する伝送情報を与えることの見合わせをその情報源に要求する。
【００４４】
すなわち、伝送路に送信されたフレームに含まれる伝送情報に対して後続する伝送情報は、その伝送路を介して対向するノードからこのフレームに対応したループバックフレームが受信される時点まで与えられないので、後続してフレームとして送信されるべき伝送情報は、これらの伝送情報の情報源において一元的に蓄積される。
第九の技術が適用された伝送路インタフェース装置では、上述した第二の技術が適用された伝送路インタフェース装置において、情報源は単信方式に基づいて送信手段１１に伝送情報を与え、かつ送信制御手段３１ａはその情報源によって何らかの伝送情報が与えられている期間に、この情報源に該当する伝送情報を返送する。
【００４５】
したがって、情報源は、送信手段１１に伝送情報を与えている期間には、その伝送情報が返送されるために、上述した単信方式の下でこの送信手段１１に後続する伝送情報を与えることを見合わせる。
すなわち、このようにして後続する伝送情報を与えることを見合わせるべき旨の要求は、送信手段１１と上述した情報源との間で特別なハンドシェーク信号の送受が行われることなく伝達されるので、ハードウエアの柔軟な標準化に併せて、多様な情報端末や情報機器がこの情報源として適用可能となる。
【００４６】
第十の技術が適用された伝送路インタフェース装置では、上述した第一ないし第九の技術の何れかが適用された伝送路インタフェース装置において、記憶手段４１には、伝送路を介して対向する全ての伝送路インタフェース装置について、個別に割り付けられたその伝送路の下りのリンクの識別子が予め格納される。
送信手段１１は、上述した伝送路の下りのリンクの内、情報源によって与えられた伝送情報に含まれるその伝送情報の宛先に対応して記憶手段４１に格納された識別子を取得し、生成されたフレームをその識別子で示される下りのリンクに対応する上りのリンクに送信する。
【００４７】
また、ループバック手段４２は、予め割り付けられた下りのリンクを介してフレームが与えられたときに、記憶手段４１に格納された識別子の内、そのフレームに含まれる識別情報に対応した識別子を取得し、その識別子が示す下りのリンクに対応する上りのリンクにループバックフレームを送信する。
すなわち、伝送路の下りのリンクが全ての伝送インタフェース装置に個別に割り付けられることによって衝突の発生確率がこれらの下りのリンクに分散され、かつ伝送情報の宛先となるべき伝送路インタフェース装置に割り付けられた下りのリンクに対してその伝送情報を含むフレームの送信が直接行われるので、中継処理を行う上位のノード装置が介在することなく、エンド・ツー・エンドの通信路が円滑に形成される。
【発明の効果】
【００４８】
上述したように本発明では、伝送路を介して対向するノードからループバックフレームが受信されない場合であっても、先行してフレームとして送信された伝送情報の情報源は、再送等の処理が行われるべき状態を高速に確度高く識別することができる。
また、本発明では、伝送路に先行してフレームとして送信された伝送情報が情報源から与えられた時点から、ループバックフレームに含まれる伝送情報が復元される時点に先行して経過した時間の計時が行われなくても、再送等の処理が行われるべき状態の識別が高速に確度高く行われる。
【００４９】
さらに、本発明では、送信手段、受信手段およびノードの応答時間と伝送路の往路および復路の伝送遅延時間との和の最大値がその伝送路に送信されるべきフレームの幅に比べて著しく大きく、あるいは伝送路インタフェース装置やこの伝送路を介して対向するノードのレイアウトが変更され得る場合であっても、再送等の処理が行われるべき状態の識別が高速に確度高く行われる。
【００５０】
また、本発明では、本願発明にかかわる伝送路インタフェース装置や伝送路を介して対向するノードのレイアウトが変更され得る場合であっても、無用に長い時間を要することなく、再送等の処理が行われるべき状態の識別が確度高く行われる。
さらに、本発明では、ＩＰの上位プロトコルであるＩＣＭＰに適応したＰＩＮＧが送信手段に搭載され、かつ伝送路を介して対向するノードがそのＩＣＭＰに適応する限り、返答要求に相当する特定のフレームの送信に併せて、この特定のフレームに適応した返答を示すフレームの受信を実現する特異な処理が行われたり、無用に長い時間を要することなく、再送等の処理が行われるべき状態の識別が確度高く行われる。
【００５１】
また、本発明では、先行してフレームとして送信された伝送情報の情報源に対して、「再送等の処理が行われるべき状態」の通知が標準的なＤＴＥ／ＤＣＥインタフェース方式の下で行われるので、この情報源として多様な情報端末や情報機器の適用が可能となる。
さらに、本発明では、送信手段、受信手段および衝突判定手段と情報源との間に適用されたインタフェース方式の如何にかかわらず、この情報源に対して「再送等の処理が行われるべき状態」の通知が確実に行われる。
【００５２】
また、本発明では、後続してフレームとして送信されるべき伝送情報は、これらの伝送情報の情報源において一元的に蓄積される。
さらに、本発明では、ハードウエアの柔軟な標準化の達成に併せて、多様な情報端末や情報機器が情報源として適用可能となる。
また、本発明では、中継処理を行う上位のノード装置が介在することなく、エンド・ツー・エンドの通信路が円滑に形成される。
【００５３】
したがって、これらの発明が適用された伝送系では、多様な通信手順や通信方式に併せて、ハードウエアおよびソフトウエアの構成に対する柔軟な適応と、衝突の発生に適応した効率な通信制御が可能となる。
【発明を実施するための最良の形態】
【００５４】
以下、図面に基づいて本発明の実施形態について詳細に説明する。
図２は、本発明の第一の実施形態を示す図である。
図において、図７に示すものと機能および構成が同じものについては、同じ符号を付与して示し、ここではその説明を省略する。
本実施形態と図７に示す従来例との構成の相違点は、子局１３３-1〜１３３-Nに代えて備えられた子局８０-1〜８０-Nの構成にある。
【００５５】
また、子局８０-1と子局１３３-1との構成の相違点は、インタフェース部１４１-1に代えてインタフェース部（ＩＦ）１４１ａ-1が備えられ、インタフェース部１４１-1と変調部１３８-1および照合処理部１３９-1との段間に送信検出部８２-1が配置され、復調部１３７-1とＦＩＦＯ１４０-1との段間に受信検出部８３-1が配置され、これらの送信検出部８２-1と受信検出部８３-1との出力に衝突判定部８４-1が接続され、その衝突判定部８４-1の出力がインタフェース部１４１ａ-1の対応する入力に接続された点にある。
【００５６】
なお、子局８０-2〜８０-Nの構成については、子局８０-1の構成と同じであるから、対応する構成要素に添え番号を「２」〜「Ｎ」とする同じ符号を付与して示し、ここではその説明および図示を省略する。
また、本実施形態と図１に示すブロック図との対応関係については、インタフェース部１４１ａ-1、送信検出部８２-1および変調部１３８-1は送信手段１１、記憶手段４１およびループバック手段４２に対応し、復調部１３７および受信検出部８３は受信手段１２に対応し、照合処理部１３９-1は衝突判定手段１３に対応し、送信検出部８２-1、受信検出部８３-1、衝突判定部８４-1およびインタフェース部１４１ａ-1は衝突判定促進手段１４に
対応に対応する。
【００５７】
以下、本実施形態の動作を説明する。
子局８０-1では、送信検出部８２-1は、パーソナルコンピュータ１３５-1からＬＡＮ１３４-1およびインタフェース部１４１ａ-1を介して与えられる伝送情報および識別情報を変調部１３８-1に与え、かつ並行してこれらの伝送情報および識別情報が与えられている期間（以下、「送信期間」という。）を衝突判定部８４-1に通知する。
【００５８】
また、受信検出部８３-1は、復調部１３７が親局１３０から無線伝送路１３６の下りのリンクを介して受信したループバック信号を復調することによって既述のベースバンド信号を生成し、さらに、そのベースバンド信号を解析することによって復元された伝送情報および識別情報をＦＩＦＯ１４０-1に与えると共に、その復調部１３７からこれらの伝送情報および識別情報が与えられる期間（以下、「受信期間」という。）を衝突判定部８４-1に通知する。
【００５９】
衝突判定部８４-1は、時間軸上で上述した送信期間が先行し、かつその送信期間と受信期間との双方に該当する時間、すなわち、送信期間と受信期間とが重なる時間があるか否かの判定を行う。
さらに、衝突判定部８４-1は、このような判定の結果が偽である場合には、何ら特別な処理を行わないが、反対にこの判定の結果が真である場合には、その旨を示す通知をインタフェース部１４１ａ-1に与える。
【００６０】
インタフェース部１４１ａ-1は、その通知を認識すると、ＬＡＮ１３４-1を介してパーソナルコンピュータ１３５-1との間に形成され、かつ両者の間におけるハンドシェークに供される特定の信号線を介してそのパーソナルコンピュータ１３５-1に、「送信の完了に先行してループバック信号が受信されたこと」を通知する。
すなわち、無線伝送路１３６の上りのリンクに複数の子局が並行して無線パケットを送信し、かつ親局１３０がこれらの無線パケットの何れかに含まれる無線プリアンブルを受信できないためにループバック信号を送出することできない場合であっても、子局８０-1〜８０-Nは、それぞれ自局が送信元である無線パケットの送信が完了する時点に先行して既述のループバック信号が受信されるか否かの判定を行うと共に、この判定の結果を該当する無線パケットに含まれる識別情報や伝送情報の送信元であるパーソナルコンピュータ１３５-1〜１３５-Nに通知する。
【００６１】
したがって、本実施形態によれば、パーソナルコンピュータ１３５-1〜１３５-Nは、送信時に起動されたタイマの計時の下でインターバルＴに亘って待機することなく、上述した判定の結果に基づいて再送その他の適切な処理を早期に確度高く行うことができる。
図３は、本発明の第二の実施形態を示す図である。
図において、図２に示すものと機能および構成が同じものについては、同じ符号を付与して示し、ここではその説明を省略する。
【００６２】
本実施形態と図２に示す実施形態との構成の相違点は、子局８０-1〜８０-Nに代えて備えられた子局９０-1〜９０-Nの構成にある。
また、子局９０-1と子局８０-1との構成の相違点は、送信検出部８２-1と衝突判定部８４-1との段間に遅延回路９１-1が配置された点にある。
なお、子局９０-2〜９０-Nの構成については、子局９０-1の構成と同じであるから、対応する構成要素に添え番号を「２」〜「Ｎ」とする同じ符号を付与して示し、ここでは、その説明および図示を省略する。
【００６３】
なお、本実施形態と図１に示すブロック図との対応関係については、遅延回路９１-1が送信検出部８２-1、受信検出部８３-1および衝突判定部８４-1と共に衝突判定促進手段１４に対応する点を除いて、図２に示す実施形態における対応関係と同じである。
以下、本実施形態の動作を説明する。
遅延回路９１-1には、与えられた伝送情報および識別情報に応じて変調部１３８-1が無線パケットを生成する処理と、復調部１３７-1がループバック信号を復調することによって既述のベースバンド信号を生成すると共に、そのベースバンド信号に含まれる伝送情報および識別情報を復元する処理とに要する時間と、無線伝送路１３６の往路および復路の伝搬遅延時間との総和に等しい遅延時間ｔd が予め設定される。
【００６４】
また、遅延回路９１-1は、送信検出部８２-1によって通知される受信期間を仮想的に上述した遅延時間ｔd に亘って遅延させつつ衝突判定部８４-1に通知する。
なお、遅延回路９１-1以外の各部の動作については、第一の実施形態における動作と同様であるので、ここではその説明を省略する。
したがって、本実施形態によれば、上述した総和が無線パケットの幅より小さいと見なし得ない程度に、変調部１３８-1や復調部１３７-1が行うべき処理の処理量が大きく、あるいはこれらの変調部１３８-1や復調部１３７-1の応答性の向上がコストその他の制約によって阻まれたり、無線伝送路１３６の最大の長さが大きい場合であっても、子局９０-1〜９０-Nは、図２に示す実施形態と同様にして、「自局から送信された無線パケットに対して親局１３０がループバック信号を送出できなかったこと」を早期に検出することができる。
【００６５】
図４は、本発明の第三の実施形態を示す図である。
図において、図３に示すものと機能および構成が同じものについては、同じ符号を付与して示し、ここではその説明を省略する。
本実施形態と図３に示す実施形態との構成の相違点は、子局９０-1〜９０-Nに代えて備えられた子局９０ａ-1〜９０ａ-Nの構成にある。
【００６６】
また、子局９０-1と子局９０ａ-1との構成の相違点は、遅延回路９１-1に代えて遅延回路９１ａ-1が備えられ、受信検出部８３-1に代えて受信検出部８３ａ-1が備えられ、さらに、遅延回路９１ａ-1の制御端子に受信検出部８３-1の対応する出力が接続された点にある。
なお、子局９０ａ-2〜９０ａ-Nの構成については、子局９０ａ-1の構成と同じであるから、対応する構成要素に添え番号を「２」〜「Ｎ」とする同じ符号を付与して示し、ここでは、その説明および図示を省略する。
【００６７】
また、本実施形態と図１に示すブロック図との対応関係については、受信検出部８３ａ-1が遅延時間実測手段２１および閾値設定手段２２に対応する点を除いて、図２および図３に示す実施形態における対応関係と同様である。
以下、本実施形態の動作を説明する。
パーソナルコンピュータ１３５-1は、始動時に併せて、予め決められた頻度で設定された時点を識別し、これらの時点には、ＬＡＮ１３４-1を介して子局９０-1に特定の伝送情報および識別情報（ここでは、簡単のため、ＩＣＭＰ(Internet Control Message Protocol)に適応した「返答要求」を示すと仮定する。）を送出する。
【００６８】
子局９０ａ-1では、送信検出部８２-1は、上述した特定の伝送情報および識別情報を変調部１３８-1に与え、かつ図２に示す実施形態と同様にして、遅延回路９１ａ-1を介して衝突判定部８４-1に送信期間を通知すると共に、その送信期間がこれらの特定の伝送情報および識別情報に応じて与えられる場合には、その旨を示す「計測指示」を遅延回路９１ａ-1に与える。
【００６９】
一方、親局１３０は、このような特定の伝送情報および識別情報に応じて変調部１３８-1が無線伝送路１３６の上りのリンクに送出した無線パケット（上述した「返答要求」を示す。）を認識すると、ＩＣＭＰに適応した手順に基づいて「返答」に相当するループバック信号をその無線伝送路１３６の下りのリンクに送出する。
また、子局９０ａ-1では、受信検出部８３ａ-1は、復調部１３７-1は、親局１３０から無線伝送路１３６の下りのリンクを介して受信されたループバック信号を復調することによって既述のベースバンド信号を生成し、そのベースバンド信号を解析することによってこのループバック信号に含まれる伝送情報および識別情報を復元してＦＩＦＯ１４０-1に与えると共に、これらの伝送情報および識別情報が上述した特定の伝送情報および識別情報に該当するか否かを判別する。
【００７０】
さらに、受信検出部８３ａ-1は、この判別の結果が偽である場合には、何ら特別な処理は行わないが、反対にこの結果が真である場合には、その旨を示す「ターン・アラウンド通知」を遅延回路９１ａ-1に与える。
遅延回路９１ａ-1は、遅延時間のデフォルト値ｔD が予め設定され、かつ上述した「計測指示」が与えられた時点から「ターン・アラウンド通知」が与えられた時点に至る期間の長さｔa を計測すると共に、この期間の長さｔa とデフォルト値ｔD との和にその遅延時間を更新する。
【００７１】
なお、遅延回路９１ａ-1は、上述した「計測指示」が与えられない場合には、先行して設定され、あるいは更新された遅延時間を適用することによって、第二の実施形態における遅延回路９１-1と同様の処理を行う。
すなわち、遅延回路９１ａ-1の遅延時間は、変調部１３８-1、無線伝送路１３６の上りのリンク、親局１３０、無線伝送路１３６の下りのリンクおよび復調部１３７-1において、それぞれ演算所要時間や伝搬遅延時間として実際に経過したターン・アラウンド時間ｔa 以上の値に自動的に設定される。
【００７２】
したがって、本実施形態によれば、例えば、子局９０ａ-1〜９０ａ-N、親局１３０の全てあるいは一部の配置が変更され、あるいは本願発明が適用された無線ＬＡＮが設置される環境が変化することによって、無線伝送路１３６の伝送特性が変動する場合であっても、これらの子局９０ａ-1〜９０ａ-Nと親局１３０との間には柔軟に無線伝送路１３６が形成される。
【００７３】
なお、本実施形態では、既述のＩＣＭＰに適応した「返答要求」に親局１３０が適応することによってターン・アラウンド時間ｔa が実測されているが、その親局１３０および子局９０ａ-1〜９０ａ-Nが連係することによって同様にターン・アラウンド時間ｔa が確度高く計測されるならば、この「返答要求」に相当する無線パケットに含まれる識別情報や伝送情報に併せて、その無線パケットの型式は如何なるものであってもよい。
【００７４】
また、本実施形態では、上述した「返答要求」あるいはその「返答要求」に相当する無線パケットについては、無線伝送路１３６の上りのリンクに他の子局から何らかの無線パケットが並行して送信されることによって親局１３０は必ずしも正常に受信されるとは限らない。
しかし、既述の特定の伝送情報および識別情報については、一般の伝送情報および識別情報と同様にパーソナルコンピュータ１３５-1の主導の下で所定の通信手順に基づく再送等の処理が可能であり、かつ遅延回路９１ａ-1はこのような通信手順に基づく通信処理の過程において与えられる複数の「計測指示」の内、最新のもののみを有効化することが可能である。
【００７５】
したがって、「返答要求」に相当する無線パケットが親局１３０によって正常に受信されない場合における詳細な動作については、その説明を省略する。
図５は、本発明の第四の実施形態を示す図である。
図において、図２に示すものと機能および構成が同じものについては、同じ符号を付与して示し、ここではその説明を省略する。
【００７６】
本実施形態と図２に示す実施形態との構成の相違点は、子局８０-1〜８０-Nに代えて備えられた子局１００-1〜１００-Nの構成にある。
また、子局１００-1と子局８０-1との構成の相違点は、衝突判定部８４-1とインタフェース部１４１ａ-1との段間にジャム信号生成部（ＪＡＭ）１０１-1が備えられた点ある。
なお、子局１００-2〜１００-Nの構成については、子局１００-1の構成と同じであるから、対応する構成要素に添え番号を「２」〜「Ｎ」とする同じ符号を付与して示し、ここでは、その説明および図示を省略する。
【００７７】
また、本実施形態と図１に示すブロック図との対応関係については、ジャム信号生成部１０１-1が衝突判定促進手段１４に対応する点を除いて、図２〜図４に示す実施形態における対応関係と同じである。
以下、本実施形態の動作を説明する。
衝突判定部８４-1は、第一ないし第三の実施形態と同様にして、「送信期間が先行し、かつその送信期間に受信検出部８３-1(８３ａ-1)によって受信期間が通知されるか否か」の判定を行うと共に、この判定の結果を示す２値信号をジャム信号生成部１０１-1に与える。
【００７８】
ジャム信号生成部１０１-1は、その２値信号で示される上述した判定の結果が真である場合には、何ら対応した処理を行わないが、反対にその判定の結果が偽である場合には、インタフェース部１４１ａ-1およびＬＡＮ１３４-1を介してパーソナルコンピュータ１３５-1宛にジャム信号を送出する。
このようなジャム信号については、ＣＳＭＡ／ＣＤ方式の伝送系においては、一般に、衝突が発生した（実際には、無線伝送路１３６の上りのリンクにおいて発生した。）ことを示すので、パーソナルコンピュータ１３５-1は、このジャム信号に応じて後続する伝送情報および識別情報の送出を予め決められた通信手順やアルゴリズムに基づいて見合わせる。
【００７９】
このように本実施形態によれば、既述のハンドシェークに供されるべき信号線が適用されることなく、通信手順の制御に供されるべきジャム信号が子局１００-1〜１００-Nから対応するパーソナルコンピュータ１３５-1〜１３５-Nに与えられた場合には、これらのパーソナルコンピュータ１３５-1〜１３５-Nは、そのジャム信号に応じて無線伝送路１３６の上りのリンクにおいて発生した衝突の発生を確度高く識別すると共に、その衝突の発生に適応した通信制御を適宜行うことができる。
【００８０】
したがって、本実施形態では、第一ないし第三の実施形態に比べて、子局１００-1〜１００-Nとパーソナルコンピュータ１３５-1〜１３５-Nとの間における通信インタフェースを実現するハードウエアの構成の制約が緩和される。
なお、本実施形態では、上述した衝突の発生を示す通知がジャム信号としてパーソナルコンピュータ１３５-1に与えられているが、ＬＡＮ１３４-1〜１３４-Nの伝送方式に適応してそのパーソナルコンピュータ１３５-1が確実に認識できるならば、そのジャム信号に代えて如何なる型式の制御情報（例えば、制御用のパケットやセル）が適用されてもよい。
【００８１】
図６は、本発明の第五の実施形態を示す図である。
図において、図４に示すものと機能および構成が同じものについては、同じ符号を付与して示し、ここではその説明を省略する。
本実施形態と図３に示す実施形態との構成の相違点は、子局９０ａ-1〜９０ａ-Nに代えて備えられた子局１１０-1〜１１０-Nの構成にある。
【００８２】
また、子局１１０-1と子局９０ａ-1との構成の相違点は、インタフェース部１４１ａ-1に代えてインタフェース部１４１ｂ-1が備えられ、送信検出部８２-1に代えて送信検出部８２ａ-1が備えられ、その送信検出部８２ａ-1の特定の出力と遅延回路９１-1の出力とがゲート回路１１１-1の対応する入力に接続され、そのゲート回路１１１-1の出力が衝突判定部８４-1の出力と共に、インタフェース部１４１ｂの対応する入力に接続された点にある。
【００８３】
なお、子局１１０-2〜１１０-Nの構成については、子局１１０-1の構成と同じであるから、対応する構成要素に添え番号を「２」〜「Ｎ」とする同じ符号を付与して示し、ここでは、その説明および図示を省力する。
また、本実施形態と図１に示すブロック図との対応関係については、が送信制御手段３１，３１ａに対応する点を除いて、図２〜図５に示す実施形態における対応関係と同様である。
【００８４】
以下、本実施形態の動作を説明する。
パーソナルコンピュータ１３５-1は、図２および図３に示す実施形態と同様にして、ＬＡＮ１３４-1を介して子局９０-1に所望の伝送情報およびその伝送情報の宛先を示す識別情報（既述の「応答要求」を示すものであってもよい。）を与える。
子局１１０-1では、送信検出部８２ａ-1は、上述した伝送情報および識別情報を変調部１３８-1とゲート回路１１１-1とに並行して与え、かつ第一および第二の実施形態と同様にして、送信期間を遅延回路９１ａ-1に通知すると共に、その送信期間が既述の特定の伝送情報および識別情報に応じて与えられる場合には、その旨を示す「計測指示」を遅延回路９１ａ-1に与える。
【００８５】
一方、親局１３０は、このような特定の伝送情報および識別情報に応じて変調部１３８-1が無線伝送路１３６の上りのリンクに送出した無線パケット（上述した「返答要求」を示すものであってもよい。）を認識すると、その無線伝送路１３６の下りのリンクにループバック信号を送出する。
また、子局１１０-1では、受信検出部８３ａ-1は、復調部１３７-1が親局１３０から無線伝送路１３６の下りのリンクを介して受信したループバック信号を復調して既述のベースバンド信号を生成し、そのベースバンド信号を解析することによってこのループバック信号に含まれる伝送情報および識別情報を復元してＦＩＦＯ１４０-1に与えると共に、これらの伝送情報および識別情報が上述した特定の伝送情報および識別情報に該当するか否かを判別する。
【００８６】
さらに、受信検出部８３ａ-1は、この判別の結果が偽である場合には、何ら特別な処理は行わないが、反対にその結果が真である場合には、その旨を示す「ターン・アラウンド通知」を遅延回路９１ａ-1に与える。
遅延回路９１ａ-1は、遅延時間のデフォルト値ｔD が予め設定され、かつ上述した送信期間が通知された（「計測指示」が与えられた）時点から受信期間が通知された（「ターン・アラウンド通知」が与えられた）時点に至る期間に、ゲート回路１１１-1を開設定すると共に、「ターン・アラウンド通知」が与えられた場合には、その期間の長さｔa を計測してこの期間の長さｔa とデフォルト値ｔD との和にその遅延時間を更新する。
【００８７】
ゲート回路１１１-1は、上述したように開設定された期間には、インタフェース部１４１ｂ-1およびＬＡＮ１３４-1を介してそのパーソナルコンピュータ１３５-1に、パーソナルコンピュータ１３５-1から与えられた伝送情報および識別情報を返送する。
パーソナルコンピュータ１３５-1は、このようにＬＡＮ１３４-1に形成されたパスの下りのリンクを介して何らかの情報が自局宛に返送されている期間には、後続する伝送情報やその伝送情報の宛先を示す識別情報の送出を見合わせる。
【００８８】
このように本実施形態によれば、何らかの伝送情報およびその伝送情報の宛先を示す識別情報を送出したパーソナルコンピュータは、これらの伝送情報および識別情報を含む無線パケットに対応したループバック信号が無線伝送路１３６を介して親局１３０から受信される時点に至る期間には、後続する伝送情報およびその伝送情報の宛先を示す識別情報の送出を見合わせる。
【００８９】
したがって、送出されるべき伝送情報の情報量が膨大である場合であっても、再送の対象となり得る伝送情報や識別情報に後続して送出されるべき多量の伝送情報や識別情報が変調部１３８-1に無用に与えられことが回避され、かつ変調部１３８-1やその前段には、このような多量の伝送情報や識別情報の蓄積に供されるべき大規模のメモリが搭載されなくてもよい。
【００９０】
なお、本実施形態では、パーソナルコンピュータ１３５-1によって送出された伝送情報および識別情報がそのパーソナルコンピュータ１３５-1宛に返送されているが、このパーソナルコンピュータ１３５-1が後続する伝送情報や識別情報を送出する動作の規制については、例えば、ハードウエアとソフトウエアとの双方あるいは何れか一方によって実現され、あるいはＬＡＮ１３４-1を介して行われるハンドシェークの下で実現されてもよい。
【００９１】
また、上述した各実施形態では、複数の子局によって共用される上りのリンクと親局１３０によって専ら送信に供される下りのリンクとして無線伝送路１３６が形成されているが、例えば、これらの子局について個別にユニークなリンクが割り付けられると共に、これらのリンクの内、所望の宛先に割り付けられたリンクに対する無線パケット（親局１３０に代わって送信されるべきループバック信号を含む。）の送信を可能とする手段が付加されることによって、これらのリンクで発生する衝突の確率の低減がはかられ、かつ子局間の通信路が親局１３０を介することなく形成されてもよい。
【００９２】
さらに、このようにして子局毎にユニークな下りのリンクが割り付けられる場合には、複数の下りのリンクに対する送信が並行して行われる構成が適用され、かつループバック信号に併せて、自局が送信元となるべき無線パケットや他の子局宛に中継されるべき無線パケットの送信が並行して行われることによって、伝送効率が高められてもよい。
また、上述した各実施形態では、ＦＩＦＯ１４０-1〜１４０-Nに蓄積された伝送情報や識別情報の廃棄と、ループバック信号として受信された伝送情報や識別情報の廃棄とが衝突判定部８４-1〜８４-Nの主導の下で行われているが、これらの廃棄にかかわる処理はパーソナルコンピュータ１３５-1〜１３５Ｎの主導の下で行われてもよい。
【００９３】
さらに、上述した各実施形態では、子局８０-1〜８０-N、９０-1〜９０-N、９０ａ-1〜９０ａ-N、１００-1〜１００-N、１１０-1〜１１０-NがＬＡＮ１３４-1〜１３４-Nを介してパーソナルコンピュータ１３５-1〜１３５-Nに接続されているが、このような構成に限定されず、例えば、これらの子局８０-1〜８０-N、９０-1〜９０-N、９０ａ-1〜９０ａ-N、１００-1〜１００-N、１１０-1〜１１０-Nがパーソナルコンピュータ１３５-1〜１３５-Nの対応する通信ポートに直結されてもよい。
【００９４】
また、上述した各実施形態では、子局８０-1〜８０-N、９０-1〜９０-N、９０ａ-1〜９０ａ-N、１００-1〜１００-N、１１０-1〜１１０-Nがパーソナルコンピュータ１３５-1〜１３５-Nと共に、無線ＬＡＮのノードを構成しているが、プリアンブルが付加されたフレーム、パケット、セルその他の伝送単位毎に伝送情報が分割され、かつ論理多重化されて伝送されるならば、本願発明は光伝送系や有線伝送系にも同様に適用可能である。
【００９５】
さらに、上述した各実施形態では、ＣＳＭＡ／ＣＤ方式に適応した無線ＬＡＮに本願発明が適用されているが、本願発明は、伝送路において衝突が発生した場合にその伝送路を介して対向するノードにおいてプリアンブルが受信されず、そのためにループバック信号が受信されない可能性があるならば、衝突の発生時にも送信の中断が行われないＣＳＭＡ方式にも同様に適用可能である。
【００９６】
また、上述した各実施形態では、無線パケットとして送信されるべき伝送情報とその伝送情報の宛先を示す識別情報とを与える情報源として、ＬＡＮ１３４-1〜１３４-Nを介して接続されたパーソナルコンピュータ１３５-1〜１３５-Nが適用されているが、本願発明は、如何なる情報端末や情報機器がこれらのパーソナルコンピュータ１３５-1〜１３５-Nに代えて適用されてもよい。
【００９７】
さらに、上述した各実施形態では、無線伝送路１３６から受信されたループバック信号や無線パケットに含まれる伝送情報および識別情報がＦＩＦＯ１４０-1〜１４０-Nに蓄積された後に、パーソナルコンピュータ１３５-1〜１３５-Nに向けて適宜送出され、あるいは廃棄されているが、その無線伝送路１３６の上りのリンクにおいて衝突が生じることがあっても、「この無線伝送路１３６の下りのリンクを介して先行して受信された無線パケットにかかわる処理が確実に完了する前に、後続する無線パケットが受信されることがない」ことが確実である場合には、これらのＦＩＦＯ１４０-1〜１４０-Nに代えて単なる記憶回路が搭載されてもよい。
【００９８】
また、上述した各実施形態では、無線伝送路１３６の上りのリンクに対する送信に併せて、その無線伝送路１３６の下りのリンクを介して与えられる無線パケットの受信が子局８０-1〜８０-N、９０-1〜９０-N、９０ａ-1〜９０ａ-N、１００-1〜１００-N、１１０-1〜１１０-Nによって行われているが、これらの子局８０-1〜８０-N、９０-1〜９０-N、９０ａ-1〜９０ａ-N、１００-1〜１００-N、１１０-1〜１１０-Nの内、単に送信端となるべきパーソナルコンピュータ（情報端末）に接続されるものについては、受信された無線パケット（ループバック信号を含む。）に含まれる伝送情報や識別情報をそのパーソナルコンピュータに与える処理が何ら行われなくてもよい。
【００９９】
さらに、上述した各実施形態では、プリアンブル、伝送情報および識別情報に応じて搬送波信号が変調されることによって生成された無線パケットが無線伝送路１３６に送信されているが、伝送路に送信されたフレームの内、プリアンブルを示す部分について衝突が発生したためにループバック信号が受信されない可能性があるならば、本願発明はベースバンド伝送方式が適用された伝送系にも同様に適用可能である。
【図面の簡単な説明】
【０１００】
【図１】本発明に関連した技術の原理ブロック図である。
【図２】本発明の第一の実施形態を示す図である。
【図３】本発明の第二の実施形態を示す図である。
【図４】本発明の第三の実施形態を示す図である。
【図５】本発明の第四の実施形態を示す図である。
【図６】本発明の第五の実施形態を示す図である。
【図７】従来の無線ＬＡＮの構成例を示す図である。
【図８】従来例の動作および課題を示す図である。
【符号の説明】
【０１０１】
１１  送信手段
１２  受信手段
１３  衝突判定手段
１４  衝突判定促進手段
２１  遅延時間実測手段
２２  閾値設定手段
３１，３１ａ  送信制御手段
４１  記憶手段
４２  ループバック手段
８０，９０，９０ａ，１００，１１０，１３３  子局
８２  送信検出部
８３，８３ａ  受信検出部
８４  衝突判定部
９１，９１ａ  遅延回路
１０１  ジャム信号生成部（ＪＡＭ）
１１１  ゲート回路
１３０  親局
１３１，１３４  ＬＡＮ
１３２，１３５  パーソナルコンピュータ
１３６  無線伝送路
１３７  復調部
１３８  変調部
１３９  照合処理部
１４０  ＦＩＦＯ
１４１，１４１ａ，１４１ｂ  インタフェース部（ＩＦ）
【図１】
2006262505.tif 000003
【図２】
2006262505.tif 000004
【図３】
2006262505.tif 000005
【図４】
2006262505.tif 000006
【図５】
2006262505.tif 000007
【図６】
2006262505.tif 000008
【図７】
2006262505.tif 000009
【図８】
2006262505.tif 000010